(57)【要約】【課題】印刷物の検査精度を向上させることができる検査装置、検査方法及びプログラムを提供する。【解決手段】記録媒体に元画像を印刷した印刷物を読み取った読取画像を取得する読取画像取得部２７３と、記録媒体の銘柄毎に、色変換情報を対応付けて記憶する記憶部２７９と、複数の色変換情報それぞれで元画像に基づく中間画像を色変換し、色変換された複数の中間画像のうち読取画像との画素値の差分値が最も小さい中間画像を色変換した色変換情報を選択する選択部２８５と、選択された色変換情報に基づいて元画像を色変換し、基準画像を生成する基準画像生成部２８１と、差分値に基づく閾値変更量で閾値情報を変更し、当該変更した閾値情報、読取画像、及び基準画像に基づいて、印刷物を検査する検査部２８７と、を備える。【選択図】図６
2017175237.tif 000002
【特許請求の範囲】
【請求項１】
記録媒体に元画像を印刷した印刷物を読み取った読取画像を取得する読取画像取得部と、
記録媒体の銘柄毎に、色変換情報を対応付けて記憶する記憶部と、
前記複数の色変換情報それぞれで前記元画像に基づく中間画像を色変換し、前記色変換された複数の中間画像のうち前記読取画像との画素値の差分値が最も小さい中間画像を色変換した色変換情報を選択する選択部と、
前記選択された色変換情報に基づいて前記元画像を色変換し、基準画像を生成する基準画像生成部と、
前記差分値に基づく閾値変更量で閾値情報を変更し、当該変更した閾値情報、前記読取画像、及び前記基準画像に基づいて、前記印刷物を検査する検査部と、
を備える検査装置。
【請求項２】
前記選択部は、前記中間画像を複数の領域に分割して前記領域毎に画素値の第１の平均値を算出し、前記複数の色変換情報それぞれで前記複数の領域それぞれの第１の平均値を変換するとともに、前記中間画像の領域に対応する前記読取画像の領域毎に画素値の第２の平均値を算出し、前記色変換された複数の中間画像のうち、前記読取画像との対応する前記複数の領域それぞれでの前記変換された第１の平均値と前記第２の平均値との差分値を合計した合計差分値が最も小さい中間画像を色変換した色変換情報を選択する請求項１に記載の検査装置。
【請求項３】
前記選択部は、前記中間画像の複数の領域のうち画素値の統計量が所定の条件を満たす領域毎に前記第１の平均値を算出し、前記統計量が所定の条件を満たす領域に対応する前記読取画像の領域毎に前記第２の平均値を算出する請求項２に記載の検査装置。
【請求項４】
前記第２の平均値は、前記読取画像の領域内の内部領域の画素値の平均値である請求項２又は３に記載の検査装置。
【請求項５】
前記選択部は、前記合計差分値に合算された差分値のうちの値が最大の差分値に基づいて、前記閾値変更量を算出する変更する請求項２〜４のいずれか１つに記載の検査装置。
【請求項６】
前記選択部は、前記印刷物の印刷に用いられた記録媒体の銘柄の色変換情報が前記記憶部に記憶されていない場合、前記読取画像との画素値の差分値が最も小さい中間画像を色変換した前記色変換情報を選択する請求項１〜５のいずれか１つに記載の検査装置。
【請求項７】
前記基準画像生成部は、前記元画像に基づいて前記中間画像を生成する請求項１〜６のいずれか１つに記載の検査装置。
【請求項８】
前記検査部は、前記印刷物の印刷に用いられた記録媒体の銘柄の色変換情報が前記記憶部に記憶されていない場合、前記印刷物を検査しない請求項１〜７のいずれか１つに記載の検査装置。
【請求項９】
前記印刷物の印刷に用いられた記録媒体の銘柄の色変換情報が前記記憶部に記憶されていない場合、前記印刷物の印刷が中止される請求項１〜７のいずれか１つに記載の検査装置。
【請求項１０】
記録媒体に元画像を印刷した印刷物を読み取った読取画像を取得する読取画像取得ステップと、
記録媒体の銘柄毎に、色変換情報を対応付けて記憶する記憶ステップと、
前記複数の色変換情報それぞれで前記元画像に基づく中間画像を色変換し、前記色変換された複数の中間画像のうち前記読取画像との画素値の差分値が最も小さい中間画像を色変換した色変換情報を選択する選択ステップと、
前記選択された色変換情報に基づいて前記元画像を色変換し、基準画像を生成する基準画像生成ステップと、
前記差分値に基づく閾値変更量で閾値情報を変更し、当該変更した閾値情報、前記読取画像、及び前記基準画像に基づいて、前記印刷物を検査する検査ステップと、
を含む検査方法。
【請求項１１】
記録媒体に元画像を印刷した印刷物を読み取った読取画像を取得する読取画像取得ステップと、
記録媒体の銘柄毎に、色変換情報を対応付けて記憶する記憶ステップと、
前記複数の色変換情報それぞれで前記元画像に基づく中間画像を色変換し、前記色変換された複数の中間画像のうち前記読取画像との画素値の差分値が最も小さい中間画像を色変換した色変換情報を選択する選択ステップと、
前記選択された色変換情報に基づいて前記元画像を色変換し、基準画像を生成する基準画像生成ステップと、
前記差分値に基づく閾値変更量で閾値情報を変更し、当該変更した閾値情報、前記読取画像、及び前記基準画像に基づいて、前記印刷物を検査する検査ステップと、
をコンピュータに実行させるためのプログラム。
【発明の詳細な説明】
【技術分野】
【０００１】
本発明は、検査装置、検査方法及びプログラムに関する。
【背景技術】
【０００２】
プロダクションプリンティングなど高品質が要求される印刷では、印刷物に対する品質検査が要求されている。例えば、印刷物の生成元の元画像から生成した基準画像と、印刷物を電気的に読み取ることで生成した読取画像とを比較することで、印刷物を検査する印刷物検査システムが知られている。
【０００３】
このような印刷物の検査精度を向上させるための要因の１つとして、基準画像の精度向上が挙げられる。基準画像は、元画像に基づく印刷及び読み取りをシミュレーションした画像であり、一般的に、印刷装置側のプロセスカラーの色空間（例えば、ＣＭＹＫ色空間）と読取装置側で読み取り後に取得される読取画像の色空間（例えば、ＲＧＢ色空間）とを対応付けたカラープロファイルなどの色変換情報を用いた色変換が行われている。
【０００４】
なお、色空間同士の対応は用紙の地色に強く依存するため、色変換情報は用紙の銘柄毎に作成しておき、色変換を行う際には、印刷物の生成に用いられた用紙の銘柄に応じた色変換情報を用いる必要がある。
【０００５】
但し、実際には、色変換情報が作成されていない銘柄の用紙を用いて印刷が行われる場合もある。ここで、例えば特許文献１には、代表色のみの複数のパッチを未知のメディアに印刷し、各パッチのターゲット色に対して最も色差が少ない出力プロファイルを当該未知のメディア用の出力プロファイルとして選択する技術が開示されている。
【発明の概要】
【発明が解決しようとする課題】
【０００６】
しかしながら、特許文献１に開示された技術は、色変換情報が作成されていない銘柄の用紙に対し、既存の色変換情報の中から代替の色変換情報を選択しているだけなので、このような代替の色変換情報を用いた色変換を行うだけでは、印刷物の検査精度も向上させることができない。
【０００７】
本発明は、上記事情に鑑みてなされたものであり、印刷物の検査精度を向上させることができる検査装置、検査方法及びプログラムを提供することを目的とする。
【課題を解決するための手段】
【０００８】
上述した課題を解決し、目的を達成するために、本発明の一態様にかかる検査装置は、記録媒体に元画像を印刷した印刷物を読み取った読取画像を取得する読取画像取得部と、記録媒体の銘柄毎に、色変換情報を対応付けて記憶する記憶部と、前記複数の色変換情報それぞれで前記元画像に基づく中間画像を色変換し、前記色変換された複数の中間画像のうち前記読取画像との画素値の差分値が最も小さい中間画像を色変換した色変換情報を選択する選択部と、前記選択された色変換情報に基づいて前記元画像を色変換し、基準画像を生成する基準画像生成部と、前記差分値に基づく閾値変更量で閾値情報を変更し、当該変更した閾値情報、前記読取画像、及び前記基準画像に基づいて、前記印刷物を検査する検査部と、を備える。
【発明の効果】
【０００９】
本発明によれば、印刷物の検査精度を向上させることができるという効果を奏する。
【図面の簡単な説明】
【００１０】
【図１】図１は、本実施形態の印刷物検査システムの構成の一例を示すブロック図である。
【図２】図２は、本実施形態の印刷装置、印刷物検査装置、及びスタッカの一例を示す模式図である。
【図３】図３は、本実施形態のＤＦＥのハードウェア構成の一例を示すブロック図である。
【図４】図４は、本実施形態の印刷装置のハードウェア構成の一例を示すブロック図である。
【図５】図５は、本実施形態の印刷物検査装置のハードウェア構成の一例を示すブロック図である。
【図６】図６は、本実施形態のＤＦＥ、印刷装置、及び印刷物検査装置の機能構成の一例を示すブロック図である。
【図７】図７は、本実施形態の印刷管理情報の一例を示す図である。
【図８】図８は、本実施形態の印刷管理情報取得部で実行される処理の一例を示すフローチャートである。
【図９】図９は、本実施形態の用紙情報の一例を示す図である。
【図１０】図１０は、本実施形態の設定画面の一例を示す図である。
【図１１】図１１は、本実施形態の表示画面の一例を示す図である。
【図１２】図１２は、本実施形態の表示画面の一例を示す図である。
【図１３】図１３は、本実施形態の表示画面の一例を示す図である。
【図１４】図１４は、本実施形態の基準画像生成部で実行される処理の一例を示すフローチャート図である。
【図１５】図１５は、本実施形態の平滑化フィルタの一例を示す図である。
【図１６】図１６は、本実施形態の差分画像生成部で実行される処理の一例を示すフローチャート図である。
【図１７】図１７は、本実施形態の選択部で実行される処理の一例を示すフローチャート図である。
【図１８】図１８は、本実施形態の中間画像上の判定領域の一例を示す図である。
【図１９】図１９は、本実施形態の読取画像上の判定領域の一例を示す図である。
【図２０】図２０は、本実施形態の読取画像上の判定領域の内部領域の一例を示す図である。
【図２１】図２１は、本実施形態の検査部で実行される処理の一例を示すフローチャート図である。
【図２２】図２２は、本実施形態の閾値情報の組の一例を示す図である。
【図２３】図２３は、本実施形態の閾値情報の一例を示す図である。
【図２４】図２４は、本実施形態の検査結果情報の一例を示す図である。
【発明を実施するための形態】
【００１１】
以下、添付図面を参照しながら、本発明にかかる検査装置、検査方法及びプログラムの実施形態を詳細に説明する。
【００１２】
図１は、本実施形態の印刷物検査システム１の構成の一例を示すブロック図である。図１に示すように、印刷物検査システム１は、ＰＣ（Personal  Computer）５と、ＤＦＥ（Digital  Front  End）１０と、印刷装置１００と、印刷物検査装置２００（検査装置の一例）と、スタッカ３００と、を備える。
【００１３】
ＰＣ５、ＤＦＥ１０、印刷装置１００、及び印刷物検査装置２００は、ネットワーク２を介して接続されている。ネットワーク２は、例えば、ＬＡＮ（Local  Area  Network）などにより実現できる。
【００１４】
また、ＤＦＥ１０及び印刷装置１００、印刷装置１００及び印刷物検査装置２００、並びに印刷物検査装置２００及びスタッカ３００は、それぞれ、専用インタフェース用の通信線（通信ケーブル）３で接続されている。専用インタフェースは、例えば、ＰＣＩｅ（Peripheral  Component  Interconnect  Express）やＵＳＢ（Universal  Serial  Bus）などが挙げられるが、これらに限定されるものではない。
【００１５】
但し、ＰＣ５、ＤＦＥ１０、印刷装置１００、印刷物検査装置２００、及びスタッカ３００の接続形態は、これに限定されるものではない。
【００１６】
図２は、本実施形態の印刷装置１００、印刷物検査装置２００、及びスタッカ３００の一例を示す模式図である。
【００１７】
図２に示すように、印刷装置１００は、オペレーションパネル１０１と、感光体ドラム１０２Ｙ、１０２Ｍ、１０２Ｃ、１０２Ｋと、転写ベルト１０３と、二次転写ローラ１０４と、給紙部１０５と、搬送ローラ対１０６と、定着ローラ１０７と、反転パス１０８と、を備える。
【００１８】
オペレーションパネル１０１は、印刷装置１００に対して各種操作入力を行ったり、各種画面を表示したりする操作表示部である。
【００１９】
感光体ドラム１０２Ｙ、１０２Ｍ、１０２Ｃ、１０２Ｋは、それぞれ、作像プロセス（帯電工程、露光工程、現像工程、転写工程、及びクリーニング工程）が行われることによりトナー像が形成され、形成されたトナー像を転写ベルト１０３に転写する。本実施形態では、感光体ドラム１０２Ｙ上にイエロートナー像が形成され、感光体ドラム１０２Ｍ上にマゼンダトナー像が形成され、感光体ドラム１０２Ｃ上にシアントナー像が形成され、感光体ドラム１０２Ｋ上にブラックトナー像が形成されるものとするが、これに限定されるものではない。
【００２０】
転写ベルト１０３は、感光体ドラム１０２Ｙ、１０２Ｍ、１０２Ｃ、及び１０２Ｋから重畳して転写されたトナー像（フルカラーのトナー画像）を二次転写ローラ１０４の二次転写位置に搬送する。本実施形態では、転写ベルト１０３には、まず、イエロートナー像が転写され、続いて、マゼンダトナー像、シアントナー像、ブラックトナー像が順次重畳して転写されるものとするが、これに限定されるものではない。
【００２１】
給紙部１０５は、複数の用紙が重ね合わせて収容されており、収容されている用紙を給紙する。用紙は記録媒体の一例であり、シートなど画像が転写される媒体であればどのようなものであってもよい。
【００２２】
搬送ローラ対１０６は、給紙部１０５により給紙された用紙を搬送路ａ上で矢印ｓ方向に搬送する。
【００２３】
二次転写ローラ１０４は、転写ベルト１０３により搬送されたフルカラーのトナー画像を、搬送ローラ対１０６により搬送された用紙上に二次転写位置で一括転写する。
【００２４】
定着ローラ１０７は、フルカラーのトナー画像が転写された用紙を加熱及び加圧することにより、フルカラーのトナー画像を用紙に定着する。
【００２５】
印刷装置１００は、片面印刷の場合、フルカラーのトナー画像が定着された用紙である印刷物を印刷物検査装置２００へ排紙する。一方、印刷装置１００は、両面印刷の場合、フルカラーのトナー画像が定着された用紙を反転パス１０８へ送る。
【００２６】
反転パス１０８は、送られた用紙をスイッチバックすることにより用紙の表面・裏面を反転して矢印ｔ方向に搬送する。反転パス１０８により搬送された用紙は、搬送ローラ対１０６により再搬送され、二次転写ローラ１０４により前回と逆側の面にフルカラーのトナー画像が転写され、定着ローラ１０７により定着され、印刷物として、印刷物検査装置２００へ排紙される。
【００２７】
図２に示すように、印刷物検査装置２００は、読取部２０１Ａ、２０１Ｂと、オペレーションパネル２０３と、を備える。
【００２８】
オペレーションパネル２０３は、印刷物検査装置２００に対して各種操作入力を行ったり、各種画面を表示したりする操作表示部である。なお、オペレーションパネル２０３を省略してもよい。この場合、オペレーションパネル１０１がオペレーションパネル２０３を兼ねるようにしてもよいし、ＰＣ５がオペレーションパネル２０３を兼ねるようにしてもよい。
【００２９】
読取部２０１Ａは、印刷装置１００から給紙された印刷物の表面を電気的に読み取り、読取部２０１Ｂは、当該印刷物の裏面を電気的に読み取る。読取部２０１Ａ、２０１Ｂは、例えば、ラインスキャナ等により実現できる。そして印刷物検査装置２００は、読み取りが完了した印刷物をスタッカ３００へ排紙する。
【００３０】
スタッカ３００は、トレイ３０１を備える。スタッカ３００は、印刷物検査装置２００により排紙された印刷物をトレイ３０１にスタックする。
【００３１】
図３は、本実施形態のＤＦＥ１０のハードウェア構成の一例を示すブロック図である。図３に示すように、ＤＦＥ１０は、ＣＰＵ（Central  Processing  Unit）やＧＰＵ（Graphics  Processing  Unit）などの制御装置１１と、ＲＯＭ（Read  Only  Memory）やＲＡＭ（Random  Access  Memory）などの主記憶装置１２と、ＨＤＤ（Hard  Disk  Drive）やＳＳＤ（Solid  State  Drive）などの補助記憶装置１３と、ディスプレイなどの表示装置１４と、マウス、キーボード、又はタッチパネルなどの入力装置１５と、ネットワーク２を介した通信用のネットワークインタフェース（Ｉ／Ｆ）１６と、通信線３を介した通信用の専用インタフェース（Ｉ／Ｆ）１７と、を備えており、通常のコンピュータを利用したハードウェア構成となっている。なお、補助記憶装置１３、表示装置１４、入力装置１５、及び通信装置１６は、内蔵されていても外付けであってもどちらでもよい。
【００３２】
図４は、本実施形態の印刷装置１００のハードウェア構成の一例を示すブロック図である。図４に示すように、印刷装置１００は、コントローラ１１０とエンジン部（Engine）１６０とをＰＣＩバスで接続した構成となる。コントローラ１１０は、印刷装置１００の全体の制御、描画、通信、及び操作表示部１２０からの入力を制御するコントローラである。エンジン部１６０は、ＰＣＩバスに接続可能なエンジンであり、例えば、スキャナ等のスキャナエンジンなどである。エンジン部１６０には、エンジン部分に加えて、誤差拡散やガンマ変換などの画像処理部分も含まれる。
【００３３】
コントローラ１１０は、ＣＰＵ１１１と、ノースブリッジ（ＮＢ）１１３と、システムメモリ（ＭＥＭ−Ｐ）１１２と、サウスブリッジ（ＳＢ）１１４と、ローカルメモリ（ＭＥＭ−Ｃ）１１７と、ＡＳＩＣ（Application  Specific  Integrated  Circuit）１１６と、ＨＤＤ１１８とを有し、ノースブリッジ（ＮＢ）１１３とＡＳＩＣ１１６との間をＡＧＰ（Accelerated  Graphics  Port）バス１１５で接続した構成となる。また、ＭＥＭ−Ｐ１１２は、ＲＯＭ１１２ａと、ＲＡＭ１１２ｂとをさらに有する。
【００３４】
ＣＰＵ１１１は、印刷装置１００の全体制御を行うものであり、ＮＢ１１３、ＭＥＭ−Ｐ１１２およびＳＢ１１４からなるチップセットを有し、このチップセットを介して他の機器と接続される。
【００３５】
ＮＢ１１３は、ＣＰＵ１１１とＭＥＭ−Ｐ１１２、ＳＢ１１４、ＡＧＰバス１１５とを接続するためのブリッジであり、ＭＥＭ−Ｐ１１２に対する読み書きなどを制御するメモリコントローラと、ＰＣＩマスタおよびＡＧＰターゲットとを有する。
【００３６】
ＭＥＭ−Ｐ１１２は、プログラムやデータの格納用メモリ、プログラムやデータの展開用メモリ、プリンタの描画用メモリなどとして用いるシステムメモリであり、ＲＯＭ１１２ａとＲＡＭ１１２ｂとからなる。ＲＯＭ１１２ａは、プログラムやデータの格納用メモリとして用いる読み出し専用のメモリであり、ＲＡＭ１１２ｂは、プログラムやデータの展開用メモリ、プリンタの描画用メモリなどとして用いる書き込みおよび読み出し可能なメモリである。
【００３７】
ＳＢ１１４は、ＮＢ１１３とＰＣＩデバイス、周辺デバイスとを接続するためのブリッジである。このＳＢ１１４は、ＰＣＩバスを介してＮＢ１１３と接続されており、このＰＣＩバスには、ネットワーク２を介した通信用のネットワークインタフェース（Ｉ／Ｆ）１３０と、通信線３を介した通信用の専用インタフェース（Ｉ／Ｆ）１４０なども接続されている。
【００３８】
ＡＳＩＣ１１６は、画像処理用のハードウェア要素を有する画像処理用途向けのＩＣ（Integrated  Circuit）であり、ＡＧＰバス１１５、ＰＣＩバス、ＨＤＤ１１８およびＭＥＭ−Ｃ１１７をそれぞれ接続するブリッジの役割を有する。このＡＳＩＣ１１６は、ＰＣＩターゲットおよびＡＧＰマスタと、ＡＳＩＣ１１６の中核をなすアービタ（ＡＲＢ）と、ＭＥＭ−Ｃ１１７を制御するメモリコントローラと、ハードウェアロジックなどにより画像データの回転などをおこなう複数のＤＭＡＣ（Direct  Memory  Access  Controller）と、エンジン部１６０との間でＰＣＩバスを介したデータ転送をおこなうＰＣＩユニットとからなる。操作表示部１２０はＡＳＩＣ１１６に直接接続されている。
【００３９】
ＭＥＭ−Ｃ１１７は、コピー用画像バッファ、符号バッファとして用いるローカルメモリであり、ＨＤＤ１１８は、画像データの蓄積、プログラムの蓄積、フォントデータの蓄積、フォームの蓄積を行うためのストレージである。
【００４０】
ＡＧＰバス１１５は、グラフィック処理を高速化するために提案されたグラフィックスアクセラレーターカード用のバスインターフェースであり、ＭＥＭ−Ｐ１１２に高スループットで直接アクセスすることにより、グラフィックスアクセラレーターカードを高速にするものである。
【００４１】
図５は、本実施形態の印刷物検査装置２００のハードウェア構成の一例を示すブロック図である。図５に示すように、印刷物検査装置２００は、コントローラ２１０とエンジン部（Engine）２６０とをＰＣＩバスで接続した構成となる。コントローラ２１０は、印刷物検査装置２００の全体の制御、描画、通信、及び操作表示部２２０からの入力を制御するコントローラである。エンジン部２６０は、ＰＣＩバスに接続可能なエンジンであり、例えば、スキャナ等のスキャナエンジンなどである。エンジン部２６０には、エンジン部分に加えて、誤差拡散やガンマ変換などの画像処理部分も含まれる。
【００４２】
コントローラ２１０は、ＣＰＵ２１１と、ノースブリッジ（ＮＢ）２１３と、システムメモリ（ＭＥＭ−Ｐ）２１２と、サウスブリッジ（ＳＢ）２１４と、ローカルメモリ（ＭＥＭ−Ｃ）２１７と、ＡＳＩＣ（Application  Specific  Integrated  Circuit）２１６と、ＨＤＤ２１８とを有し、ノースブリッジ（ＮＢ）２１３とＡＳＩＣ２１６との間をＡＧＰ（Accelerated  Graphics  Port）バス２１５で接続した構成となる。また、ＭＥＭ−Ｐ２１２は、ＲＯＭ２１２ａと、ＲＡＭ２１２ｂとをさらに有する。
【００４３】
ＣＰＵ２１１は、印刷物検査装置２００の全体制御を行うものであり、ＮＢ２１３、ＭＥＭ−Ｐ２１２およびＳＢ２１４からなるチップセットを有し、このチップセットを介して他の機器と接続される。
【００４４】
ＮＢ２１３は、ＣＰＵ２１１とＭＥＭ−Ｐ２１２、ＳＢ２１４、ＡＧＰバス２１５とを接続するためのブリッジであり、ＭＥＭ−Ｐ２１２に対する読み書きなどを制御するメモリコントローラと、ＰＣＩマスタおよびＡＧＰターゲットとを有する。
【００４５】
ＭＥＭ−Ｐ２１２は、プログラムやデータの格納用メモリ、プログラムやデータの展開用メモリ、プリンタの描画用メモリなどとして用いるシステムメモリであり、ＲＯＭ２１２ａとＲＡＭ２１２ｂとからなる。ＲＯＭ２１２ａは、プログラムやデータの格納用メモリとして用いる読み出し専用のメモリであり、ＲＡＭ２１２ｂは、プログラムやデータの展開用メモリ、プリンタの描画用メモリなどとして用いる書き込みおよび読み出し可能なメモリである。
【００４６】
ＳＢ２１４は、ＮＢ２１３とＰＣＩデバイス、周辺デバイスとを接続するためのブリッジである。このＳＢ２１４は、ＰＣＩバスを介してＮＢ２１３と接続されており、このＰＣＩバスには、ネットワーク２を介した通信用のネットワークインタフェース（Ｉ／Ｆ）２３０と、通信線３を介した通信用の専用インタフェース（Ｉ／Ｆ）２４０なども接続されている。
【００４７】
ＡＳＩＣ２１６は、画像処理用のハードウェア要素を有する画像処理用途向けのＩＣ（Integrated  Circuit）であり、ＡＧＰバス２１５、ＰＣＩバス、ＨＤＤ２１８およびＭＥＭ−Ｃ２１７をそれぞれ接続するブリッジの役割を有する。このＡＳＩＣ２１６は、ＰＣＩターゲットおよびＡＧＰマスタと、ＡＳＩＣ２１６の中核をなすアービタ（ＡＲＢ）と、ＭＥＭ−Ｃ２１７を制御するメモリコントローラと、ハードウェアロジックなどにより画像データの回転などをおこなう複数のＤＭＡＣ（Direct  Memory  Access  Controller）と、エンジン部２６０との間でＰＣＩバスを介したデータ転送をおこなうＰＣＩユニットとからなる。操作表示部２２０はＡＳＩＣ２１６に直接接続されている。
【００４８】
ＭＥＭ−Ｃ２１７は、コピー用画像バッファ、符号バッファとして用いるローカルメモリであり、ＨＤＤ２１８は、画像データの蓄積、プログラムの蓄積、フォントデータの蓄積、フォームの蓄積を行うためのストレージである。
【００４９】
ＡＧＰバス２１５は、グラフィック処理を高速化するために提案されたグラフィックスアクセラレーターカード用のバスインターフェースであり、ＭＥＭ−Ｐ２１２に高スループットで直接アクセスすることにより、グラフィックスアクセラレーターカードを高速にするものである。
【００５０】
図６は、本実施形態のＤＦＥ１０、印刷装置１００、及び印刷物検査装置２００の機能構成の一例を示すブロック図である。
【００５１】
図６に示すように、ＤＦＥ１０は、受付部７１と、印刷管理情報生成部７３と、ＲＩＰ（Raster  Image  Processor）部７５と、を含む。
【００５２】
受付部７１は、例えば、制御装置１１、主記憶装置１２、及びネットワークＩ／Ｆ１６などにより実現でき、印刷管理情報生成部７３及びＲＩＰ部７５は、例えば、制御装置１１、主記憶装置１２、及び専用Ｉ／Ｆ１７などにより実現できる。なお、ＲＩＰ部７５は、ＩＣなどのハードウェアを併用して実現してもよい。
【００５３】
また図６に示すように、印刷装置１００は、処理部１７７と、印刷部１７９と、を含む。処理部１７７は、例えば、ＣＰＵ１１１、システムメモリ１１２、及び専用Ｉ／Ｆ１４０などにより実現できる。印刷部１７９は、例えば、感光体ドラム１０２Ｙ、１０２Ｍ、１０２Ｃ、１０２Ｋ、転写ベルト１０３、二次転写ローラ１０４、給紙部１０５、搬送ローラ対１０６、定着ローラ１０７、及びエンジン部１６０などにより実現できる。
【００５４】
また図６に示すように、印刷物検査装置２００は、読取部２７１と、読取画像取得部２７３と、元画像取得部２７５と、印刷管理情報取得部２７７と、記憶部２７９と、基準画像生成部２８１と、差分画像生成部２８３と、選択部２８５と、検査部２８７と、を含む。
【００５５】
読取部２７１は、例えば、読取部２０１Ａ、読取部２０１Ｂ、ＣＰＵ２１１、システムメモリ２１２、及びエンジン部２６０などにより実現できる。読取画像取得部２７３、基準画像生成部２８１、及び選択部２８５は、例えば、ＣＰＵ２１１及びシステムメモリ２１２などにより実現できる。なお、基準画像生成部２８１は、ＩＣなどのハードウェアを併用して実現してもよい。元画像取得部２７５、及び印刷管理情報取得部２７７は、例えば、ＣＰＵ２１１、システムメモリ２１２、及び専用Ｉ／Ｆ２４０などにより実現できる。記憶部２７９は、例えば、システムメモリ２１２やＨＤＤ２１８などにより実現できる。差分画像生成部２８３は、例えば、ＣＰＵ２１１、システムメモリ２１２、及びＡＳＩＣ２１６などにより実現できる。検査部２８７は、例えば、ＣＰＵ２１１、システムメモリ２１２、及びネットワークＩ／Ｆ２３０などにより実現できる。
【００５６】
受付部７１は、ＰＣ５から印刷ジョブを受け付ける。なお、受付部７１は、ＰＣ５以外の装置から印刷ジョブを受け付けてもよいし、ＤＦＥ１０内部で生成された印刷ジョブを受け付けてもよい。
【００５７】
印刷管理情報生成部７３は、受付部７１により受け付けられた印刷ジョブに基づいて、当該印刷ジョブを管理する印刷管理情報を生成し、生成した印刷管理情報を印刷装置１００に出力する。
【００５８】
ＲＩＰ部７５は、受付部７１により受け付けられた印刷ジョブに基づいて、印刷物の生成元となる（印刷の基礎となる）元画像を生成し、生成した元画像を印刷装置１００に出力する。本実施形態では、印刷装置１００が印刷管理情報に基づいて出力対象の元画像をＲＩＰ部７５に通知するので、ＲＩＰ部７５は、印刷ジョブに基づいて、通知された元画像を生成し、印刷装置１００に出力する。例えば、ＲＩＰ部７５は、印刷ジョブをＲＩＰ処理し、元画像としてＲＩＰ画像（ビットマップ画像）を生成する。
【００５９】
本実施形態では、印刷ジョブは、PostScript（登録商標）などのページ記述言語（ＰＤＬ：Page  Description  Language）で記述されたデータやＴＩＦＦ（Tagged  Image  File  Format）形式の画像データなどを含んで構成されるが、これに限定されるものではない。また本実施形態では、元画像は、ＣＭＹＫのＲＩＰ画像であり、Ｃ（Ｃｙａｎ）、Ｍ（ＭＡｇｅｎｔａ）、Ｙ（Ｙｅｌｌｏｗ）、Ｋ（Ｂｌａｃｋ）それぞれのＲＩＰ画像データの各画素が１ｂｉｔの６００ｄｐｉであるものとするが、これに限定されるものではない。
【００６０】
処理部１７７は、ＤＦＥ１０から印刷管理情報を取得し、保持（例えば、システムメモリ１１２に保持）する。そして処理部１７７は、保持している印刷管理情報の中から処理対象の印刷ジョブの印刷管理情報を選択し、選択した印刷管理情報を更新し、更新した印刷管理情報が示す元画像（元画像のページ）をＤＦＥ１０に通知して、当該元画像を取得する。更に処理部１７７は、更新した印刷管理情報及び取得した元画像を印刷部１７９へ出力するとともに、当該更新した印刷管理情報及び当該元画像を印刷物検査装置２００へ出力する。
【００６１】
ここで、印刷管理情報について説明する。図７は、本実施形態の印刷管理情報の一例を示す図である。図７に示すように、本実施形態の印刷管理情報は、項目と、備考と、値と、を含む。但し、備考は、項目が取り得る値の説明であるため、省略してもよい。
【００６２】
項目としては、例えば、図７に示すように、生成元、生成時刻、ページＩＤ、印刷面、用紙ＩＤ、部ＩＤ、ジョブＩＤ、用紙種類、用紙サイズ、及び用紙銘柄などが挙げられるが、これらに限定されるものではない。
【００６３】
生成元は、印刷管理情報の生成元（出力ソース）であり、値は、ＤＦＥ１０か内部（印刷装置１００）かを示す。なお、生成元の値は、印刷管理情報の生成元が設定する。
【００６４】
生成時刻は、印刷管理情報が生成された時刻であり、値は、当該時刻を示す。なお、生成時刻の値は、印刷管理情報の生成元が設定する。
【００６５】
ページＩＤは、印刷装置１００で印刷される印刷物全体での印刷ページを識別する識別情報である。値は、印刷装置１００の電源オン時が０であり、１ページの出力（印刷）毎に、１加算される。なお、ページＩＤの値は、処理部１７７が設定する。
【００６６】
印刷面は、元画像が用紙に印刷される際の印刷面であり、値は、片面、両面表、又は両面裏を示す。片面は、片面印刷時の用紙の表面を表し、両面表は、両面印刷時の用紙の表面を表し、両面裏は、両面印刷時の用紙の裏面を表す。なお、印刷面の値は、印刷管理情報の生成元が設定する。
【００６７】
用紙ＩＤは、印刷装置１００で使用される用紙を識別する識別情報である。値は、印刷装置１００の電源オン時が０であり、１枚の出力（印刷）毎に、１加算される。つまり、用紙ＩＤは、元画像が印刷された用紙を識別する識別子としての役割を担う。なお、用紙ＩＤの値は、処理部１７７が設定する。
【００６８】
部ＩＤは、印刷装置１００で印刷される印刷物全体での部数を識別する識別情報である。値は、印刷装置１００の電源オン時が０であり、１部の出力（印刷）毎に、１加算される。なお、部ＩＤの値は、処理部１７７が設定する。
【００６９】
ジョブＩＤは、印刷装置１００で印刷される印刷物全体でのジョブ数を識別する識別情報である。値は、印刷装置１００の電源オン時が０であり、１ジョブの出力（印刷）毎に、１加算される。なお、ジョブＩＤの値は、処理部１７７が設定する。
【００７０】
用紙種類は、印刷に使用する用紙の種類であり、値は、当該種類を示す。なお、用紙種類の値は、印刷管理情報の生成元が設定する。
【００７１】
用紙サイズは、印刷に使用する用紙のサイズであり、値は、当該サイズを示す。なお、用紙サイズの値は、印刷管理情報の生成元が設定する。
【００７２】
用紙銘柄は、印刷に使用する用紙の銘柄であり、値は、当該銘柄を示す。なお、用紙銘柄の値は、印刷管理情報の生成元が設定する。
【００７３】
図６に戻り、印刷部１７９は、処理部１７７から元画像及び印刷管理情報が出力されると、当該印刷管理情報に従って用紙を搬送するとともに、作像プロセスなどの印刷処理プロセスを実行し、当該元画像を当該用紙に印刷することで印刷物を生成する。
【００７４】
読取部２７１は、印刷部１７９により生成された印刷物を読み取って、読取画像を生成する。本実施形態では、読取画像は、ＲＧＢの画像データであり、Ｒ、Ｇ、Ｂそれぞれの画像データの各画素が８ｂｉｔの２００ｄｐｉであるものとするが、これに限定されるものではない。なお、読取部２７１により読み取られた印刷物は、スタッカ３００に排紙される。
【００７５】
読取画像取得部２７３は、読取部２７１により生成された読取画像を取得し、取得した読取画像を差分画像生成部２８３からの出力要求に応じて、差分画像生成部２８３に出力する。
【００７６】
元画像取得部２７５は、印刷装置１００により印刷物が生成されると、印刷装置１００から当該印刷物の生成元の元画像（Ｃ、Ｍ、Ｙ、ＫそれぞれのＲＩＰ画像）を取得する。
【００７７】
以下、印刷管理情報取得部２７７、記憶部２７９、基準画像生成部２８１、差分画像生成部２８３、選択部２８５、及び検査部２８７の動作については、フローチャートを参照しながら説明する。
【００７８】
図８は、本実施形態の印刷管理情報取得部２７７で実行される処理の一例を示すフローチャートである。
【００７９】
まず、印刷管理情報取得部２７７は、印刷装置１００により印刷物が生成されると、印刷装置１００から当該印刷物の生成元の元画像の印刷管理情報を取得する（ステップＳ１０１）。
【００８０】
続いて、印刷管理情報取得部２７７は、取得した印刷管理情報に基づいて、印刷物の印刷に使用された用紙の銘柄の用紙情報が記憶部２７９に記憶されているか否かを確認する（ステップＳ１０３）。
【００８１】
記憶部２７９は、用紙の銘柄毎に、用紙情報を対応付けて記憶する。なお、用紙情報は、カラープロファイルなどの色変換情報を含む。図９は、本実施形態の用紙情報の一例を示す図である。図９に示す例では、用紙情報は、処理種別、用紙種類、用紙サイズ、用紙銘柄、用紙サイズ補正情報、色変換テーブル（色変換情報）、及び閾値変更量を含む。
【００８２】
処理種別は、処理の種別であり、「有効」、「代替」、及び「非対象」のいずれかの値が設定される。なお、初期値は、「有効」であるものとする。処理種別が「有効」の場合、基準画像生成部２８１及び差分画像生成部２８３で検査処理を行うための処理が行われ、処理種別が「代替」の場合、印刷管理情報取得部２７７、基準画像生成部２８１、差分画像生成部２８３、及び選択部２８５で代替用の用紙情報を確定（作成）するための処理が行われ、処理種別が「非対象」の場合、検査処理が行われない。
【００８３】
用紙サイズ補正情報は、後述の解像度変換で使用される補正係数であり、色変換テーブルは、後述の色変換で使用されるパラメータであり、閾値変更量は、後述の検査で使用される閾値情報を変更する変更量である。なお、閾値変更量の初期値は０である。
【００８４】
印刷管理情報取得部２７７は、取得した印刷管理情報の用紙銘柄と一致する用紙銘柄を含む用紙情報があれば、当該用紙情報を記憶部２７９から取得する（ステップＳ１０３でＹｅｓ）。一方、印刷管理情報取得部２７７は、取得した印刷管理情報の用紙銘柄と一致する用紙銘柄を含む用紙情報がなければ、記憶部２７９から任意の用紙情報を取得する（ステップＳ１０３でＮｏ）。
【００８５】
ステップＳ１０３でＮｏの場合、印刷管理情報取得部２７７は、用紙情報を代替するか否かを確認し（ステップＳ１０５）、用紙情報を代替する場合、処理種別を「代替」に設定する（ステップＳ１０５でＹｅｓ、ステップＳ１０７）。
【００８６】
なお、用紙情報を代替するか否かは、予め検査者などにより、図１０に示すような設定画面上で設定され、システムメモリ２１２に設定情報として記憶されているので、印刷管理情報取得部２７７は、この設定情報から用紙情報を代替するか否かを確認すればよい。図１０に示す設定画面では、ラジオボタン１１０１の設定で、代替用紙情報を自動選択する（用紙情報を代替する）、検査処理を行わない（用紙情報を代替しない）、印刷を中断する（用紙情報を代替しない）を設定できる。代替用紙情報を自動選択するの場合、チェックボックス１１０２で検査閾値（閾値情報）の調整の有無も設定できる。
【００８７】
続いて、印刷管理情報取得部２７７は、処理種別を「代替」に設定した用紙情報を基準画像生成部２８１及び差分画像生成部２８３に送信する（ステップＳ１０９）。この際、印刷管理情報取得部２７７は、用紙情報の用紙サイズ補正情報及び色変換テーブルをダミーデータに設定する。
【００８８】
続いて、印刷管理情報取得部２７７は、代替の用紙情報の選択完了を待機し（ステップＳ１１１でＮｏ）、代替の用紙情報の選択が完了すると（ステップＳ１１１でＹｅｓ）、処理種別を「有効」に設定し（ステップＳ１１３）、図１１に示すような、代替の用紙情報で検査が行われることを示す画面を操作表示部２２０に表示する（ステップＳ１１５）。なお、印刷管理情報取得部２７７は、代替の用紙情報の選択完了を待機している間、代替の用紙情報の選択中である旨を示す画面を操作表示部２２０に表示してもよい。
【００８９】
続いて、印刷管理情報取得部２７７は、選択された代替の用紙情報を基準画像生成部２８１及び差分画像生成部２８３に送信する（ステップＳ１１７）。
【００９０】
なお、ステップＳ１０３でＹｅｓの場合、印刷管理情報取得部２７７は、記憶部２７９から取得した印刷管理情報の用紙銘柄と一致する用紙銘柄を含む用紙情報を基準画像生成部２８１及び差分画像生成部２８３に送信する（ステップＳ１１７）。
【００９１】
また、ステップＳ１０５でＮｏの場合、印刷管理情報取得部２７７は、処理種別を「非対象」に設定する（ステップＳ１１９）。
【００９２】
続いて、印刷管理情報取得部２７７は、印刷を継続するか否かを確認し（ステップＳ１２１）、印刷を継続する場合、図１２に示すような、検査が行われないことを示す画面を操作表示部２２０に表示する（ステップＳ１２１でＹｅｓ、ステップＳ１２３）。
【００９３】
一方、印刷管理情報取得部２７７は、印刷を継続しない場合、図１３に示すような、印刷が中断されることを示す画面を操作表示部２２０に表示する（ステップＳ１２１でＮｏ、ステップＳ１２３）。この場合、印刷管理情報取得部２７７は、印刷装置１００に印刷中断要求を行い、印刷装置１００の処理部１７７が印刷処理を中断する。
【００９４】
なお、印刷を継続するか否かは、前述の図１０に示すような設定画面上で設定され、システムメモリ２１２に設定情報として記憶されているので、印刷管理情報取得部２７７は、この設定情報から印刷を継続するか否かを確認すればよい。図１０に示す設定画面では、ラジオボタン１１０１の設定で、検査処理を行わない（印刷を継続する）、印刷を中断する（印刷を継続しない）を設定できる。
【００９５】
図１４は、本実施形態の基準画像生成部２８１で実行される処理の一例を示すフローチャート図である。なお、図１４に示す処理は、図８に示すフローチャートのステップＳ１０９及びステップＳ１１７の後に実行される。
【００９６】
まず、基準画像生成部２８１は、印刷管理情報取得部２７７から送信された用紙情報の処理種別が「有効」又は「代替」であるか否かを確認する（ステップＳ２０１）。
【００９７】
処理種別が「有効」又は「代替」である場合（ステップＳ２０１でＹｅｓ）、基準画像生成部２８１は、元画像取得部２７５に対し、元画像（Ｃ、Ｍ、Ｙ、ＫそれぞれのＲＩＰ画像）の出力要求を行って元画像を取得し、取得した元画像に対し、ビット拡張（８ビット拡張）処理、平滑化処理、及び解像度変換処理を施す（ステップＳ２０３〜Ｓ２０７）。これにより、ＣＭＹＫの元画像からＣＭＹＫの中間画像が生成される。つまり、基準画像生成部２８１は、元画像に基づいて中間画像を生成する。
【００９８】
８ビット拡張処理は、各画素１ｂｉｔのハーフトーン画像データを各画素８ｂｉｔの画像にするため、０は０、１は２５５に変換する拡張処理である。平滑化処理は、２次元空間フィルタによる平滑化処理であり、例えば、図１５に示す平滑化フィルタが用いられる。
【００９９】
解像度変換処理は、読取部２７１により生成された読取画像の解像度に対応させるための処理である。但し、読取画像は、印刷過程における印刷物の伸縮等様々な要因の影響を受けるため、６００ｄｐｉの元画像を単純に読取画像の２００ｄｐｉに変換しても、実際の読取画像の解像度に正確に一致するとは限らない。このため、解像度変換処理は、用紙情報に含まれる用紙サイズ補正情報で補正された解像度に変換する。
【０１００】
なお、処理種別が「代替」である場合、用紙サイズ補正情報はダミーデータであるため、基準画像生成部２８１は、標準的な補正係数の用紙サイズ補正情報で元画像に対し、解像度変換を行う。標準的な補正係数の用紙サイズ補正情報は、基準画像生成部２８１が予め保持しておけばよい。
【０１０１】
続いて、基準画像生成部２８１は、印刷管理情報取得部２７７から送信された用紙情報の処理種別が「有効」である場合（ステップＳ２０９でＹｅｓ）、元画像（中間画像）に対し、用紙情報に含まれる色変換テーブルを用いて色変換を行う（ステップＳ２１１）。これにより、ＣＭＹＫの元画像（中間画像）から基準画像が生成される。本実施形態では、基準画像は、ＲＧＢの画像データであり、Ｒ、Ｇ、Ｂそれぞれの画像データの各画素が８ｂｉｔであるものとするが、これに限定されるものではない。
【０１０２】
続いて、基準画像生成部２８１は、生成した基準画像を差分画像生成部２８３へ出力する（ステップＳ２１３）。この際、基準画像生成部２８１は、生成した基準画像と基準画像の生成に用いた用紙情報とを対応付けて差分画像生成部２８３へ出力する。
【０１０３】
一方、基準画像生成部２８１は、印刷管理情報取得部２７７から送信された用紙情報の処理種別が「有効」でない場合（ステップＳ２０９でＮｏ）、生成した中間画像を選択部２８５へ出力する（ステップＳ２１５）。
【０１０４】
なお、印刷管理情報取得部２７７から送信された用紙情報の処理種別が「有効」又は「代替」でない場合（ステップＳ２０１でＮｏ）、これらの処理は行われない。
【０１０５】
図１６は、本実施形態の差分画像生成部２８３で実行される処理の一例を示すフローチャート図である。なお、図１６に示す処理は、図８に示すフローチャートのステップＳ１０９及びステップＳ１１７の後に実行される。
【０１０６】
まず、差分画像生成部２８３は、読取画像取得部２７３に対し、読取画像の出力要求を行って読取画像を取得する（ステップＳ３０１）。
【０１０７】
続いて、差分画像生成部２８３は、印刷管理情報取得部２７７から送信された用紙情報の処理種別が「有効」であるか否かを確認する（ステップＳ３０３）。
【０１０８】
処理種別が「有効」である場合（ステップＳ３０３でＹｅｓ）、差分画像生成部２８３は、基準画像生成部２８１に基準画像の出力要求を行い、基準画像を取得する（ステップＳ３０５）。
【０１０９】
続いて、差分画像生成部２８３は、取得した読取画像と基準画像との位置合わせを行い（ステップＳ３０７）、位置合わせ後の読取画像と基準画像とを画素単位で比較し、ＲＧＢ各色８ｂｉｔの画素値の差分値を画素毎に算出し、画素毎の画素値の差分値で構成される差分画像を生成する（ステップＳ３０９）。
【０１１０】
続いて、差分画像生成部２８３は、生成した差分画像を検査部２８７へ出力する（ステップＳ３１１）。この際、差分画像生成部２８３は、生成した差分画像と用紙情報とを対応付けて検査部２８７へ出力する。
【０１１１】
一方、処理種別が「有効」でない場合（ステップＳ３０３でＮｏ）、差分画像生成部２８３は、取得した読取画像を選択部２８５へ出力する（ステップＳ３１５）。
【０１１２】
図１７は、本実施形態の選択部２８５で実行される処理の一例を示すフローチャート図である。
【０１１３】
まず、選択部２８５は、基準画像生成部２８１から、中間画像を取得する（ステップＳ４０１）。
【０１１４】
続いて、選択部２８５は、取得した中間画像を複数の領域（予め定められた大きさの矩形）に分割し、分割した複数の領域それぞれの画素値の統計量（例えば、標準偏差）を算出し、算出した統計量が所定の条件（例えば、予め定められた値以下）を満たす領域を判定領域として抽出する（ステップＳ４０３）。これにより、例えば、図１８に示すように、中間画像内の色が均一である領域１１１１を判定領域として抽出できる。
【０１１５】
続いて、選択部２８５は、抽出した判定領域毎に、画素値の平均値である第１の平均値を算出する（ステップＳ４０５）。これにより、中間画像の判定領域におけるＣＭＹＫでの平均色が算出される。
【０１１６】
続いて、選択部２８５は、記憶部２７９に記憶されている全ての印刷管理情報を取得し、印刷管理情報に含まれる色変換テーブル毎に、当該色変換テーブルを用いて、抽出された各判定領域の第１の平均値を変換する（ステップＳ４０７）。これにより、中間画像の判定領域におけるＣＭＹＫでの平均色がＲＧＢでの平均色に変換される。
【０１１７】
続いて、選択部２８５は、差分画像生成部２８３から、読取画像を取得する（ステップＳ４０９）。
【０１１８】
続いて、選択部２８５は、中間画像内の判定領域に対応する読取画像の判定領域毎に、画素値の平均値である第２の平均値を算出する（ステップＳ４１１）。例えば、図１９に示すように、中間画像内の判定領域１１１１に対応する（と同一座標の）読取画像の判定領域１１１２におけるＲＧＢでの平均色が算出される。但し、選択部２８５は、第２の平均値として、読取画像の判定領域全体ではなく、判定領域の内部領域（例えば、図２０に示す判定領域内の領域１１２１）の画素値の平均値を算出することが好ましい。
【０１１９】
続いて、選択部２８５は、色変換が行われた中間画像毎に、対応する判定領域それぞれでの変換された第１の平均値と第２の平均値との差分値を求め、求めた差分値を合算して合計差分値を算出する（ステップＳ４１３）。これにより、色変換が行われた中間画像毎に合計差分値が求められる。
【０１２０】
続いて、選択部２８５は、色変換が行われた複数の中間画像のうち、合計差分値が最も小さい中間画像を色変換した色変換テーブルを含む用紙情報を、印刷に用いられた用紙の代替の用紙情報として選択する（ステップＳ４１５）。
【０１２１】
続いて、選択部２８５は、代替の用紙情報の選択に用いた合計差分値（最も小さい）に基づいて、代替の用紙情報に含まれる閾値変更量を変更する（ステップＳ４１７）。例えば、選択部２８５は、閾値変更量の値を、代替の用紙情報の選択に用いた合計差分値に合算された差分値のうちの値が最大の差分値に係数を乗じた値に変更する。なお、係数の値は変更可能であり、初期値は１．０とする。このように、選択部２８５は、代替の用紙情報の選択に用いた合計差分値に合算された差分値のうちの値が最大の差分値に基づいて、閾値変更量を算出する変更する。
【０１２２】
そして選択部２８５は、代替の用紙情報を印刷管理情報取得部２７７に出力する。これにより、図８に示すフォローチャートのステップＳ１１１において、代替の用紙情報の選択が完了する。
【０１２３】
但し、選択部２８５は、抽出した判定領域だけでなく、分割された全ての領域に対して上記処理を行ってもよい。つまり、選択部２８５は、中間画像を複数の領域に分割して領域毎に画素値の第１の平均値を算出し、複数の色変換情報それぞれで複数の領域それぞれの第１の平均値を変換するとともに、中間画像の領域に対応する読取画像の領域毎に画素値の第２の平均値を算出し、色変換された複数の中間画像のうち、読取画像との対応する複数の領域それぞれでの変換された第１の平均値と第２の平均値との差分値を合計した合計差分値が最も小さい中間画像を色変換した色変換情報を含む用紙情報を、印刷に用いられた用紙の代替の用紙情報として選択してもよい。
【０１２４】
また、選択部２８５は、中間画像を１つの判定領域として上記処理を行ってもよい。つまり、選択部２８５は、複数の色変換情報それぞれで元画像に基づく中間画像を色変換し、色変換された複数の中間画像のうち読取画像との画素値の差分値が最も小さい中間画像を色変換した色変換情報を、印刷に用いられた用紙の代替の用紙情報として選択してもよい。
【０１２５】
図２１は、本実施形態の検査部２８７で実行される処理の一例を示すフローチャート図である。
【０１２６】
まず、検査部２８７は、差分画像生成部２８３から出力された差分画像及び用紙情報を取得する（ステップＳ５０１）。
【０１２７】
続いて、検査部２８７は、用紙情報に含まれる閾値変更量に初期値以外が設定され、閾値情報の変更が必要な場合（ステップＳ５０３でＹｅｓ）、当該閾値変更量で閾値情報を変更する（ステップＳ５０５）。なお、閾値情報の変更が不要な場合（ステップＳ５０３でＮｏ）、ステップＳ５０５の処理は行われない。
【０１２８】
本実施形態では、検査部２８７は、図２２に示すように、検査レベル（図２２の名称）毎に閾値情報（閾値セット）を保持しており、これらの閾値情報のうち検査者などによりオペレーションパネル２０３などから設定されている検査レベルの閾値情報を用いて検査を行う。
【０１２９】
図２３は、本実施形態の閾値情報の一例を示す図である。ページ欠陥判定閾値は、欠陥判定値の合計値に対する閾値であり、この閾値を超えた印刷ページ（印刷物の印刷面）がページ欠陥発生と判定される。
【０１３０】
点状欠陥の差分閾値は、差分画像の各画素に対する閾値であり、この閾値を超えた画素が点状欠陥の異常画素と判定される。点状欠陥の異常画素が、ある一定の範囲内に複数ある場合は、点状欠陥の１つの異常画素群として扱われる。点状欠陥の面積閾値は、点状欠陥の１つの異常画素群に含まれる点状欠陥の異常画素の画素数に対する閾値であり、点状欠陥の異常画素の画素数がこの閾値を超えた場合、当該異常画素群は、点状欠陥と判定される。
【０１３１】
線状欠陥の差分閾値は、差分画像の各画素に対する閾値であり、この閾値を超えた画素が線状欠陥の異常画素と判定される。線状欠陥の異常画素が、ある一定の範囲内に複数ある場合は、線状欠陥の１つの異常画素群として扱われる。線状欠陥の面積閾値は、線状欠陥の１つの異常画素群に含まれる線状欠陥の異常画素の画素数に対する閾値であり、線状欠陥の異常画素の画素数がこの閾値を超えた場合、当該異常画素群は、線状欠陥と判定される。
【０１３２】
面状欠陥の差分閾値は、差分画像の各画素に対する閾値であり、この閾値を超えた画素が面状欠陥の異常画素と判定される。面状欠陥の異常画素が、ある一定の範囲内に複数ある場合は、面状欠陥の１つの異常画素群として扱われる。面状欠陥の面積閾値は、面状欠陥の１つの異常画素群に含まれる面状欠陥の異常画素の画素数に対する閾値であり、面状欠陥の異常画素の画素数がこの閾値を超えた場合、当該異常画素群は、面状欠陥と判定される。
【０１３３】
各欠陥の欠陥判定係数は、欠陥判定値の算出に用いられる係数である。
【０１３４】
例えば、検査部２８７は、閾値情報の変更が必要な場合、閾値情報に含まれる各閾値に閾値変更量を加算して閾値情報を変更する。なお検査部２８７は、閾値情報に含まれる閾値のうち任意の閾値に閾値変更量を加算して閾値情報を変更してもよい。
【０１３５】
続いて、検査部２８７は、閾値情報を用いて、差分画像生成部２８３から出力された差分画像の閾値判定を行う（ステップＳ５０７）。具体的には、検査部２８７は、差分画像に対して、点状欠陥の差分閾値を用いた判定を行い、点状欠陥の差分閾値を用いた判定結果に対して、点状欠陥の面積閾値を用いた判定を行う。同様に検査部２８７は、差分画像に対して、線状欠陥の差分閾値を用いた判定を行い、線状欠陥の差分閾値を用いた判定結果に対して、線状欠陥の面積閾値を用いた判定を行う。同様に検査部２８７は、差分画像に対して、面状欠陥の差分閾値を用いた判定を行い、面状欠陥の差分閾値を用いた判定結果に対して、面状欠陥の面積閾値を用いた判定を行う。
【０１３６】
続いて、検査部２８７は、欠陥毎に、当該欠陥に含まれる各異常画素の画素値と当該欠陥の差分閾値との差分の絶対値を算出し、算出した差分の絶対値の合計値に当該欠陥用の欠陥判定係数を乗じ、欠陥判定値を算出する。そして検査部２８７は、各欠陥の欠陥判定値の合計値をページ欠陥判定閾値と比較するページ欠陥判定を行い、当該合計値がページ欠陥判定閾値以上の場合、印刷管理情報のページＩＤが示す印刷ページを欠陥発生と判定し、当該合計値がページ欠陥判定閾値未満の場合、印刷管理情報のページＩＤが示す印刷ページを欠陥無しと判定し、検査結果を示す検査結果情報（例えば、図２４参照）を印刷装置１００に出力したり、システムメモリ２１２に記憶する（ステップＳ５０９）。このように検査部２８７は、差分値に基づく閾値変更量で閾値情報を変更し、当該変更した閾値情報、読取画像、及び基準画像に基づいて、印刷物を検査する。
【０１３７】
以上のように本実施形態によれば、代替の色変換情報を使用して基準画像を生成する場合、基準画像の精度が低下する分、閾値情報を緩和して検査を行うため、代替の色変換情報を使用する場合であっても、印刷物の検査精度を向上させることができる。
【０１３８】
また本実施形態によれば、代替の色変換情報を選択するためにパッチ等を印刷する必要もないため、印刷物の印刷を中断する必要がなく、生産性の低下を防止できる。
【０１３９】
また本実施形態によれば、色が均一である領域に限定して中間画像と読取画像との差分を算出して代替の色変換情報を選択するため、印刷物の印刷に使用した用紙に適した代替の色変換情報を選択しやすくなる。
【０１４０】
また本実施形態によれば、第２の平均値を読取画像の判定領域の内部領域の平均値としているため、中間画像と読取画像とを比較する際に位置ズレが生じていても差分値の算出精度を向上できる。
【符号の説明】
【０１４１】
１  印刷物検査システム
２  ネットワーク
３  通信線
５  ＰＣ
１０  ＤＦＥ
７１  受付部
７３  印刷管理情報生成部
７５  ＲＩＰ部
１００  印刷装置
１０１  オペレーションパネル
１０２Ｙ、１０２Ｍ、１０２Ｃ、１０２Ｋ  感光体ドラム
１０３  転写ベルト
１０４  二次転写ローラ
１０５  給紙部
１０６  搬送ローラ対
１０７  定着ローラ
１０８  反転パス
１７７  処理部
１７９  印刷部
２００  印刷物検査装置
２０１Ａ、２０１Ｂ、２７１  読取部
２０３  オペレーションパネル
２７１  読取部
２７３  読取画像取得部
２７５  元画像取得部
２７７  印刷管理情報取得部
２７９  記憶部
２８１  基準画像生成部
２８３  差分画像生成部
２８５  選択部
２８７  検査部
３００  スタッカ
３０１  トレイ
【先行技術文献】
【特許文献】
【０１４２】
【特許文献１】特開２０１５−０３７２２４号公報
【図１】
2017175237.tif 000003
【図２】
2017175237.tif 000004
【図３】
2017175237.tif 000005
【図４】
2017175237.tif 000006
【図５】
2017175237.tif 000007
【図６】
2017175237.tif 000008
【図７】
2017175237.tif 000009
【図８】
2017175237.tif 000010
【図９】
2017175237.tif 000011
【図１０】
2017175237.tif 000012
【図１１】
2017175237.tif 000013
【図１２】
2017175237.tif 000014
【図１３】
2017175237.tif 000015
【図１４】
2017175237.tif 000016
【図１５】
2017175237.tif 000017
【図１６】
2017175237.tif 000018
【図１７】
2017175237.tif 000019
【図１８】
2017175237.tif 000020
【図１９】
2017175237.tif 000021
【図２０】
2017175237.tif 000022
【図２１】
2017175237.tif 000023
【図２２】
2017175237.tif 000024
【図２３】
2017175237.tif 000025
【図２４】
2017175237.tif 000026